(57)【要約】      （修正有）【課題】廉価で、軽量であり、折りたたみが容易なＬＥＤ表示装置を提供する。【解決手段】ネットの複数交点に配置される発光ダイオード（ＬＥＤ）の点灯により、文字をドット表示するＬＥＤ表示装置において、ネットの特定文字領域内のみに複数のＬＥＤを配置し、複数のＬＥＤの導線と表示を制御するための制御部を配線し、これらのＬＥＤの点灯により、文字の表示を行う。また、上記表示を制御するための制御部に、パーソナルコンピュータのデータの入力機構を有し、さらに、入力したデータを保存することも可能である。【選択図】図２
0003168780.tif 000002
【実用新案登録請求の範囲】
【請求項１】
編み目の大きさが５０ｃｍ以下のネットの複数交点に配置される発光ダイオードの点灯により、文字をドット表示するＬＥＤ表示装置において、ネットの特定の文字表記領域内だけ縦横に８×８以上の複数の発光ダイオードを配置し、複数の発光ダイオードの導線と表示を制御するための制御部を配線し、これらの発光ダイオードの点灯により、文字の表示を行うことを特徴とするＬＥＤ表示装置。
【請求項２】
前記表示を制御するための制御部に、パーソナルコンピュータのデータの入力機構を有することを特徴とする請求項１記載のＬＥＤ表示装置。
【請求項３】
前記表示を制御するための制御部に、パーソナルコンピュータから入力したデータを保存するメモリを有することを特徴とする請求項１又は２記載のＬＥＤ表示装置。
【考案の詳細な説明】
【技術分野】
【０００１】  本考案は、ネットに複数配置される発光ダイオード（ＬＥＤ）の点灯により、文字やマークをドット表示するＬＥＤ表示装置に関し、店舗の店頭等に宣伝目的や一般家庭の野外に設置される光ディスプレイ用のＬＥＤ表示装置に関する。
【背景技術】
【０００２】  表示基板に複数配置される発光ダイオードの点灯により、文字等をドット表示する発光表示装置が知られている。特に、店舗の店頭等に宣伝目的で設置される店舗用の発光表示装置が広く普及している（例えば、特許文献１参照）。この種の発光表示装置は、１６×１６ドット、２０×２０ドットあるいは２４×２４ドットで一文字を表示し、これを一単位とし、縦方向に複数並設して表示基板を構成している。【０００３】  また、支持部材から垂直に吊下げた複数本の発光部から成る表示部と、この表示部を駆動する駆動制御部とを含んでおり、表示部の各発光部を、互いに屈曲可能に上端及び下端が順次に連結部材により連結された複数個の発光ブロックから構成し、各発光ブロックを、それぞれ全方位に光を出射する所定の発光色の発光素子を内蔵した光散乱性材料から成る光散乱体と、各光散乱体を一列に接続する光散乱性材料から成る接続部とから構成し、各光散乱体内の発光素子を、それぞれ独立に駆動制御部により駆動されるようにした全方位表示装置が知られている（特許文献２参照）
【先行技術文献】
【特許文献】
【０００４】
【特許文献１】特開２００７−３０４４１６号広報
【特許文献２】特開２００２−２３６７２号広報
【考案の概要】
【考案が解決しようとする課題】
【０００５】  従来の発光表示装置は、表示基板に複数配置される発光ダイオードの点灯により、文字等をドット表示するが、基板が必要不可欠であり、大きな文字表示を行う場合は基板の大きさも大きくなり、高価なものとなる。また、大きな基板は通気がなく屋外に設置した場合、風対策が必要になる。また、特許文献２の全方位表示装置では、全方位発光素子とこれを覆う光散乱材料または光透過性材料の使用が必要不可欠であり、高価なものである。
【課題を解決するための手段】
【０００６】  上記の課題を解決することを目的として創作された本考案のＬＥＤ表示装置は、請求項１に記載するように、ネットの複数交点に配置される発光ダイオード（ＬＥＤ）の点灯により、文字をドット表示するＬＥＤ表示装置において、ネットの特定の文字表記領域内だけ縦横に８×８以上の複数のＬＥＤを配置し、複数のＬＥＤの配線と表示を制御するための制御部を接続し、これらのＬＥＤの点灯により、文字の表示を行うことを特徴とする。【０００７】  また、本考案のＬＥＤ表示装置は、請求項２に記載するように、上記表示を制御するための制御部に、パーソナルコンピュータのデータの入力機構を有することを特徴とする。【０００８】  さらに、本考案のＬＥＤ表示装置は、請求項３に記載するように、上記表示を制御するための制御部に、パーソナルコンピュータから入力したデータを保存するメモリを有することを特徴とする。
【考案の効果】
【０００９】  請求項１の考案とすることにより、大幅なコストダウンが図れる。つまり、従来のマトリクス発光表示装置では基板が必要不可欠であり、大きな文字表示を行う場合は基板の大きさも大きくなり、高価なものであった。また、重量が大きく装置の固定が困難となり、表示していないときの景観が悪く、屋外では風圧の影響が大きく、また運搬が困難で固定せざるを得ない。本考案は、これらの点に着目して創作されたものであり、編み目の大きさが５０ｃｍ以下のネットの複数交点に配置される発光ダイオード（ＬＥＤ）の点灯により、文字をドット表示するＬＥＤ表示装置において、ネットの特定の文字表記領域内だけ縦横に８×８以上の複数のＬＥＤを配置し、複数のＬＥＤの導線と表示を制御するための制御部を配線し、これらのＬＥＤの点灯により、文字の表示を行うことにより、大幅なコストダウンが図れ、基板を用いないため軽量・可搬の特徴を有する。また、柔軟性のネットを選択することで、折りたたみが容易なＬＥＤ表示装置とすることができる。また、ＬＥＤ配線を縦横に配線することによりダイナミック点灯が可能になる。【００１０】  また、請求項２及び請求項３の考案とすることにより、表示文字の選択や表示時間をパーソナルコンピュータで作成し、そのデータを制御部に送信することができ、メモリに保存することができる。
【図面の簡単な説明】
【００１１】
【図１】本考案の実施形態に係るＬＥＤ表示装置の表示部
【図２】本考案の実施形態に係るＬＥＤ表示装置の制御システムを示すブロック図
【考案を実施するための形態】
【００１２】  次に、本考案の実施の形態について、図面に基づいて説明する。図１において、１は複数の発光ダイオード（ＬＥＤ）を配置する編み目の大きさが５０ｃｍ以下、好ましくは２０ｃｍ以下のネット、２はその交点に縦横に配置する８×８以上、好ましくは１２×１２以上のＬＥＤ、３は該ＬＥＤに接続する配線、４は１のネットを保持する保持線であって、これらを備えることにより本考案のＬＥＤ表示装置の表示部が構成されている。本実施形態のＬＥＤ表示装置は、主に店舗の店頭に宣伝目的で設置される店舗用、あるいは、一般家庭の野外に設置される光ディスプレイ用に最適であり、ＬＥＤの配置を１２×１２以上とすることで漢字表示が可能となっている。
【００１３】  図２において、５はＬＥＤドライブ回路であって、６は演算回路（ＣＰＵ）、７は電源回路、８は通信回路、９はデータ保存用のメモリ、１０はパーソナルコンピュータのデータの入力端子であって、これらを備えることにより本考案のＬＥＤ表示装置の制御システムが構成されている。
【産業上の利用可能性】
【００１４】  本考案のＬＥＤ表示装置は、従来の発光表示装置に比べ、廉価であり、店舗の店頭等に宣伝目的や一般家庭の野外に設置される光ディスプレイ用として簡易に使用できる。また、ネットの材質を選択することにより、折り畳み可能な表示装置となり、省スペース格納が容易である。
【符号の説明】
【００１５】１  複数の発光ダイオード（ＬＥＤ）を配置するネット
２  ネットの交点に配置するＬＥＤ
３  ＬＥＤに接続する配線
４  ネットを保持する保持線
５  ＬＥＤドライブ回路
６  演算回路（ＣＰＵ）
７  電源回路
８  通信回路
９  データ保存用メモリ
１０  パーソナルコンピュータのデータの入力端子
【図１】
0003168780.tif 000003
【図２】
0003168780.tif 000004